(57)【特許請求の範囲】
【請求項１】
複数の端末装置を備えたローカル管制システムと、中継系機器を介して接続された管制センター部とからなる遠隔管理システムの管理キーとして、カードＩＤを前記管理キーとして用いるカード認識方法であって、
既存のカードＩＤと仕様が異なる新規カードＩＤを同時に認識できるようにするため、既存のカードＩＤ仕様に基づくカードＩＤと、カードの種類情報と、前記新規カードＩＤ仕様に基づくカードＩＤを組み合わせて新規キーを構成し、
前記新規キーをテーブルに記録し、
新規カードＩＤ仕様に基づくカードＩＤは、前記テーブルを参照して、前記既存のカードＩＤ仕様に基づくカードＩＤにより認識を行うことを特徴とする遠隔管理システムのカード認識方法。
【請求項２】
請求項１に記載された遠隔管理システムのカード認識方法において、
前記複数の端末装置は、前記テーブルに基づき前記既存のカードＩＤ仕様に基づくカードＩＤを抽出し、該カードＩＤの識別コードを認識することを特徴とする遠隔管理システムのカード認識方法。
【請求項３】
請求項１又は２に記載された遠隔管理システムのカード認識方法において、
前記管制センター部では、前記テーブルに基づき前記カードの種類情報と、前記新規カードＩＤ仕様に基づくカードＩＤの組み合わせから、対応する前記既存のカードＩＤ仕様に基づくカードＩＤを抽出して、該カードＩＤの識別コードを認識することを特徴とする遠隔管理システムのカード認識方法。
【発明の詳細な説明】
【技術分野】
【０００１】
本発明は、異なる仕様のカードＩＤを認識できるようにした遠隔管理システムのカード認識方法に関する。
【背景技術】
【０００２】
遠隔管理システム、例えば、機械警備システムでは、カード等を認証キーとして、警備の開始、解除を許可するシステムが多く採用されている。このようにカードを認証キーとして使用するシステムでは、使用できるカードの種類を特定し、特定した種類のカードに依存するカード管理を行うものが多い。
【０００３】
また、機械警備システムでは、操作履歴として何時、何処で（つまりどの装置で）、誰が何を行ったかを記録することが一般的であるが、この操作履歴を元に、各種の日報、月報を作成したり、カードＩＤ（識別情報）をキーとして各種の検索や、レポート作成などを行っている（特許文献１、特許文献２参照）。
【０００４】
しかしながら、このような認証キーとなるカードで管理するシステムにおいて、新たに、既存のカートとは異なる仕様のカードが追加されたとき、例えば、８桁コードで記録されていたカードＩＤが１６桁コードのものに変更された場合、或いは、同一桁数であっても、従来のカードＩＤに対してユニーク性が確保できなくなってしまう場合には、これらのカードはシステムで認識できず、従って、カードを認識つまり特定するための情報の拡張性等を得るための措置を実施しなければならない。しかし、その措置の対象となるシステム内の機器の種類が多く、各種アプリケーション、通信仕様等が多数存在すると、カードを特定するためのプログラム等の開発費用、開発期間が厖大となり、品質の確保のための作業も指数的に増え、開発自体実現が困難になる。
【特許文献１】特開平２−２６６４９７号公報
【特許文献２】特開２００２−２７１３３号公報
【発明の開示】
【発明が解決しようとする課題】
【０００５】
本発明は、従来の警備システムにおける前記問題に鑑みてなされたものであって、その目的は、従来のカードをそのまま残しつつ、新たな仕様のカードも認識可能にし、新旧両カードのユニーク性を確保した管理に対応し得るようにすることである。
【課題を解決するための手段】
【０００６】
請求項１の発明は、遠隔管理システムのカード認識方法であって、複数の端末装置を備えたローカル管制システムと、中継系機器を介して接続された管制センター部とからなる遠隔管理システムの管理キーとして、カードＩＤを前記管理キーとして用いるカード認識方法であって、既存のカードＩＤと仕様が異なる新規カードＩＤを同時に認識できるようにするため、既存のカードＩＤ仕様に基づくカードＩＤと、カードの種類情報と、前記新規カードＩＤ仕様に基づくカードＩＤを組み合わせて新規キーを構成し、前記新規キーをテーブルに記録し、新規カードＩＤ仕様に基づくカードＩＤは、前記テーブルを参照して、前記既存のカードＩＤ仕様に基づくカードＩＤにより認識を行うことを特徴とする。
請求項２の発明は、請求項１に記載された遠隔管理システムのカード認識方法において、前記複数の端末装置は、前記テーブルに基づき前記既存のカードＩＤ仕様に基づくカードＩＤを抽出し、該カードＩＤの識別コードを認識することを特徴とする。
請求項３の発明は、請求項１又は２に記載された遠隔管理システムのカード認識方法において、前記管制センター部では、前記テーブルに基づき前記カードの種類情報と、前記新規カードＩＤ仕様に基づくカードＩＤの組み合わせから、対応する前記既存のカードＩＤ仕様に基づくカードＩＤを抽出して、該カードＩＤの識別コードを認識することを特徴とする。
【発明の効果】
【０００７】
本発明によれば、従来の警備システムのカードをそのまま残して、新たなカードと共に使用できるため、従来のようにカード識別のために新たなカードに対応したシステムに作り替える必要がない。従って、最小限のコストで新旧カードのいずれによってもシステムを運用できる。
【発明を実施するための最良の形態】
【０００８】
本発明の実施形態について説明する。
図１は、本発明が適用可能な従来の機械警備の監視システムの１例を概略的に示すブロック図である。この監視システムは、通信網として、公衆回線網、例えばＩＳＤＮ（Integrated Services Digital Network）網と、インターネットなどのＩＰ（Internet Protocol）網、更には携帯電話網とを用いて、例えば監視カメラの画像情報を伴う非常通報を行なえるようにしている。
【０００９】
この実施形態の監視システムでは、物件毎に設置されたローカル管制システム部１と、管制センター部３とが、ＩＳＤＮ網２１およびＩＰ網２２を介して接続されている。
ローカル管制システム部１は、例えば、センサＳで異常を検出したときに通報データを管制センター部３宛てに公衆網である例えばＩＳＤＮ網２１を介して送出する送信機１１と、センサＳに対応して設置され監視カメラ１２ａで撮影した画像をルータ１３、ＩＰ網２２を介して管制センター部３宛てに送出する画像ＩＰ送信機１２と、ルータ１３及び画像ＩＰ送信機１２に接続されたローカル管制装置１４等からなっている。
【００１０】
送信機１１は、ＩＳＤＮ網２１に接続されていると共に、ルータ１３を介してＩＰ網２２に接続されている。また、送信機１１には、複数個の端末装置１０ａ〜１０ｎが接続されており、また、ローカルな登録機１１ａが接続されている。
【００１１】
画像ＩＰ送信機１２には、複数台の監視カメラ１２ａ〜１２ｍが接続されている。また、画像ＩＰ送信機１２は、ルータ１３を通してＩＰ網２２に接続されている。これにより、画像ＩＰ送信機１２は、ＩＰ網２２を通じて画像データ等を管制センター部３に送信することができる。
【００１２】
監視カメラ１２ａ〜１２ｍは、センサＳで異常が検出されたとき、その異常の状況を的確に把握できるような場所に設置されている。
【００１３】
管制センター部３は、ローカル管制システム部１からの通報の宛先として予め定められている通報情報の受信システムであり、受信機３１、管制、設定、編集等を行うクライアントＰＣ（パーソナルコンピュータ）３２ａ、３２ｂ・・・等で構成されており、各装置３１、３２ａ、３２ｂ・・・等は、ＬＡＮ（Local Area Network）３５に接続されている。
【００１４】
クライアントＰＣ３２ａ、３２ｂ・・・は、ルータ３６を通じてＩＰ網２２に接続されている。
ローカル管制システム部１の送信機１１からの通報データは、ＩＳＤＮ網２１を通じて受信機３１で受信される。受信機３１は、受信した通報データをＬＡＮ３５を通じて各クライアントＰＣ３２ａ、３２ｂ・・・警備サーバ３７に転送する。また、ＩＰ網２２からルータ３６を介して送信された画像データは画像サーバ３８に送信される。
【００１５】
このような機械警備システムにおいて、警備の開始や解除や、何時、何処で（つまりどの装置で）、誰が何を行ったか等を記録して操作履歴を作成するが、そのためのキーとして例えば、８桁のカードＩＤをキーとして或いは端末装置の操作制御などが行われているとする。この状態で、新たに１６桁のカードＩＤを使用しようとすると、機械警備システムは既存のカードに対応しているため、新たなカードを認識することはできない。
そこで、本実施形態では、従来のカードＩＤ（１）はそのまま使え、しかも、新たなカードも認識できるようにするための新たなキーを提供するものである。即ち、本実施形態では、システム内のユニークな（即ち唯一無二の）カード特定のためのキーを、新たなカードの識別に必要な「カード種類情報」、新たなカードの「新規カードＩＤ（２）」と、これに従来カードとの互換性を与えるために設定した従来仕様のユニークな「カードＩＤ（１）」を組み合わせで構成している。
【００１６】
このように新たなキーを構成した場合、従来のカードキーでは、「カード種類」と「カードＩＤ（２）」情報は存在しないから、これらの部分は共にＮＵＬＬ（未設定）としておく。これにより、従来のカードは、カードＩＤ（１）が有効でありさえすれば、前記システムで特定（認識）される。つまり、従来カードは、そのままで従来と全く同様に使用できるようにする。
【００１７】
新規に追加される別仕様のカードは、「カードの種類」と「カードＩＤ（２）」（これをカードＩＤ（３）とする）をキーとし、これらが有効な場合にシステムが特定（認識）できるようにする。但し、既存のシステムでは、この新たなキーは認識できないから、既存のシステムとの互換性を維持するため、そのカードの従来仕様の（つまりここでは８桁の）カードＩＤ（１）として、後述の図２に示すようなユニーク（つまり唯一無二の）なデータを設定しておく。つまり既存のシステムは、前記カードＩＤ（３）の代わりに、カードＩＤ（１）の８桁の識別コードで新規のカードを認識する。
【００１８】
図２は、以上で説明した新たなキーの一覧を記録したテーブルの１例である。各端末装置は、図２に示すテーブルを備え、既存のカード及び新規のカードの何れにも対応できるようにしている。
即ち、テーブルには登録者名、連絡先情報に続き、カードＩＤ（１）として、ここでは全てのカードに８桁のユニークなカードＩＤ（１）が付与されている。
この例では、登録者「い」〜「ほ」のカードは、既存のカード即ち８桁のコードから成るカードＩＤを持つものであることを示し、そのカード識別欄およびカードＩＤ２欄はいずれも未設定であるから、無記入となっている。
登録者「へ」〜「か」のカードは１６桁のコードからなるカードＩＤを持つことを示している。
【００１９】
ここで、例えば、登録者「い」〜「ほ」が警備の開始や解除或いはシステム内の端末機器を使用する場合は、図１に示す物件内（ローカル管制システム部内）の端末装置にカードＩＤ（１）を読み取らせると、端末装置はカードＩＤ（１）を識別し、かつその履歴情報を前記ＩＤ（１）と共に自機内に記録すると共に、管制センター部３に送信する。
【００２０】
登録者「へ」等のカードを警備の開始や解除或いは物件内の端末機器を使用する場合は、前記端末機器にカードＩＤ（３）を読み取らせ、前記端末装置は、前記テーブルに基づきカードＩＤ（３）に対応させて設定した前記カードＩＤ（１）を認識する。その結果は、前記ＩＤ（１）と共に例えばその履歴情報として自機内に記録し、かつ既に述べたように管制センター部３に送信する。
【００２１】
管制センター部３では、カードＩＤ（１）をキーとして既存システムで実施していた各種の検索処理等について、前記テーブルに基づき、カードの「種別情報」及び「カードＩＤ（２）」の組み合わせからなるカードＩＤ（３）に基づきカードＩＤ（１）を抽出し、そのカードＩＤ（１）を従来と同様にカードＩＤ情報として検索処理装置へ出力する。
【００２２】
以上のように新たなキーをカードＩＤ（１）とＩＤ（３）の組み合わせで構成し、既存のカードはそのまま、また、新規カードの場合はローカル管制システム内ではＩＤ（１）として認識されるから、各物件内で行われる警備の開始、解除、巡回、施錠、解錠等の、カード操作に基づき物件内端末装置から管制センター３に送信される信号におけるカード情報の取り扱いは全てカードＩＤ（１）のみで可能である、そのため、ローカル管制システム１と管制センター３間の系統の中継系装置のカード情報の扱いもカードＩＤ（１）のみで可能である。
【００２３】
このように、カードによる新たなキー情報を設定して、既設物件で従来カードのまま運用することができる。即ち、カードＩＤ（１）が有効であれば、カードＩＤ（１）のみの情報で特定できるようにすることができる。
なお、ローカル管制下では、カードＩＤ（１）を唯一無二が保証されたキー情報（一意性の確保）として機能させ、一方管制センター部内では、キー情報は、同じカードＩＤ（２）でもカードの種別情報が異なれば識別可能であるから、カードＩＤ（２）は重複して使用してもよい。
【００２４】
このように本実施形態によれば、新規カードを導入する場合、中継系装置への影響が無く、従って安価に導入でき、システムの品質への影響が少ない。また、各種機器間のインターフェース仕様への影響も少なく、既存カードのまま運用する既存物件への影響は全くなく、同一のカードが複数の物件でそれぞれ異なるカードＩＤで登録されても、管制センター部内では前記テーブルに基づきそのカード種別及びカードＩＤ（２）を認識することができるから、矛盾無く処理を行うことができる。従って、運用が容易である。
【００２５】
本システムは、機械警備システムのみではなく、社員証システム、学生証システム、入退室システム、ＰＣ（Personal Computer）セキュリティシステム、図書管理システムなど、カードＩＤなどのＩＤを用いて管理するシステム一般に適用可能である。
【図面の簡単な説明】
【００２６】
【図１】従来の機械警備の監視システムの１例を概略的に示すブロック図である。
【図２】カードを用いたキーの一覧を記録したテーブルの１例である。
【符号の説明】
【００２７】
１・・・ローカル管制システム部、３・・・管制センター部、１０ａ〜１０ｎ・・・端末装置、１１・・・送信機、１２・・・画像ＩＰ送信機、１２ａ〜ｍ・・・監視カメラ、１３・・・ルータ、１４・・・ローカル管制装置、２１・・・ＩＳＤＮ網、２２・・・ＩＰ網、３１・・・受信機、３２・・・クライアントＰＣ、３５・・・ＬＡＮ、３６・・・ルータ、Ｓ・・・センサ。
【図１】
0004803488.tif 000002
【図２】
0004803488.tif 000003